【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
識別情報を可変表示する可変表示手段と、
始動入賞に起因して識別情報を可変表示し、所定条件を満たすと識別情報を確定表示するように前記可変表示手段を表示制御する表示制御手段と
を備え、先の始動入賞に起因した確定表示が導出される前に後の始動入賞があったときには可変表示が保留記憶され、先の始動入賞に起因した確定表示が導出された後に保留を解除して後の始動入賞に起因した可変表示及び確定表示を実行するようにした遊技機において、
保留記憶可能な数よりも少ない数の計時手段によって、識別情報の可変表示を開始してから確定表示させるまでの時間を決定するようにしたことを特徴とする遊技機。
【請求項２】
識別情報を可変表示する可変表示手段と、
始動入賞に起因して識別情報を可変表示し、所定条件を満たすと識別情報を確定表示するように前記可変表示手段を表示制御する表示制御手段と
を備え、先の始動入賞に起因した確定表示が導出される前に後の始動入賞があったときには可変表示が保留記憶され、先の始動入賞に起因した確定表示が導出された後に保留を解除して後の始動入賞に起因した可変表示及び確定表示を実行するようにした遊技機において、
識別情報の可変表示開始から確定表示までの可変表示時間として長短のある複数種類のものが設定されており、
所定時間が設定されるとともにそこからの減算処理が行われる計時手段を備え、始動入賞時における計時手段による残余時間が所定残余時間以上であるか否かを判断し、判断の結果、残余時間が所定残余時間以上である場合に限り比較的短い可変表示時間が設定可能であることを特徴とする遊技機。
【請求項３】
識別情報を可変表示する可変表示手段と、
始動入賞に起因して識別情報を可変表示し、所定条件を満たすと識別情報を確定表示するように前記可変表示手段を表示制御する表示制御手段と
を備え、先の始動入賞に起因した確定表示が導出される前に後の始動入賞があったときには可変表示が保留記憶され、先の始動入賞に起因した確定表示が導出された後に保留を解除して後の始動入賞に起因した可変表示及び確定表示を実行するようにした遊技機において、
識別情報の可変表示開始から確定表示までの可変表示時間として長短のある複数種類のものが設定されており、
所定時間が設定されるとともにそこからの減算処理が行われる計時手段を備え、始動入賞時における計時手段による残余時間が所定残余時間以上であるか否かを判断し、判断の結果、残余時間が所定残余時間未満である場合には比較的短い可変表示時間を設定不能としたことを特徴とする遊技機。
【請求項４】
識別情報を可変表示する可変表示手段と、
始動入賞に起因して識別情報を可変表示し、所定条件を満たすと識別情報を確定表示するように前記可変表示手段を表示制御する表示制御手段と
を備え、先の始動入賞に起因した確定表示が導出される前に後の始動入賞があったときには可変表示が保留記憶され、先の始動入賞に起因した確定表示が導出された後に保留を解除して後の始動入賞に起因した可変表示及び確定表示を実行するようにした遊技機において、
識別情報の可変表示開始から確定表示までの可変表示時間として長短のある複数種類のものが設定されており、
所定時間が設定されるとともにそこからの減算処理が行われる計時手段を備え、始動入賞時における計時手段による残余時間が所定残余時間以上であるか否かを判断し、判断の結果、残余時間が所定残余時間以上である場合には比較的短い可変表示時間が設定可能である一方、残余時間が所定残余時間未満である場合には比較的長い可変表示時間のみを設定可能としたことを特徴とする遊技機。
【請求項５】
識別情報を可変表示する可変表示手段と、
始動入賞に起因して識別情報を可変表示し、所定条件を満たすと識別情報を確定表示するように前記可変表示手段を表示制御する表示制御手段と
を備え、先の始動入賞に起因した確定表示が導出される前に後の始動入賞があったときには可変表示が保留記憶され、先の始動入賞に起因した確定表示が導出された後に保留を解除して後の始動入賞に起因した可変表示及び確定表示を実行するようにした遊技機において、
所定時間が設定されるとともにそこからの減算処理が行われる計時手段を備え、始動入賞時における計時手段の時間の残余を加味して可変表示時間が設定されるように構成し、始動入賞がある度に、残余時間を加味した時間又は前記所定時間に戻して再度計時手段の減算処理が実行されるようにしたことを特徴とする遊技機。
【請求項６】
識別情報を可変表示する可変表示手段と、
始動入賞に起因して識別情報を可変表示し、所定条件を満たすと識別情報を確定表示するように前記可変表示手段を表示制御する表示制御手段と
を備え、先の始動入賞に起因した確定表示が導出される前に後の始動入賞があったときには可変表示が保留記憶され、先の始動入賞に起因した確定表示が導出された後に保留を解除して後の始動入賞に起因した可変表示及び確定表示を実行するようにした遊技機において、
識別情報の可変表示開始から確定表示までの可変表示時間として長短のある複数種類のものが設定されており、
所定時間が設定されるとともにそこからの減算処理が行われる計時手段を備え、
始動入賞があると計時手段による前記所定時間からの減算処理を実行し、その減算処理中に始動入賞があると計時手段を初期化して前記所定時間からの減算処理を再度実行し、
始動入賞に伴う可変表示開始時において前記保留記憶が存在しかつ計時手段が所定時間の経過を示している場合には可変表示時間として短時間のものを設定可能としたことを特徴とする遊技機。
【請求項７】
識別情報を可変表示する可変表示手段と、
始動入賞に起因して識別情報を可変表示し、所定条件を満たすと識別情報を確定表示するように前記可変表示手段を表示制御する表示制御手段と
を備え、先の始動入賞に起因した確定表示が導出される前に後の始動入賞があったときには可変表示が保留記憶され、先の始動入賞に起因した確定表示が導出された後に保留を解除して後の始動入賞に起因した可変表示及び確定表示を実行するようにした遊技機において、
識別情報の可変表示開始から確定表示までの可変表示時間として長短のある複数種類のものが設定されており、かつそれらのうち短時間での可変表示時間の２回分の長さが所定時間よりも長くなるように時間設定されており、
前記所定時間が設定されるとともにそこからの減算処理が行われる計時手段を備え、
始動入賞があると計時手段による前記所定時間からの減算処理を実行し、その減算処理中に始動入賞があっても計時手段を初期化することなく減算処理を続行し、
始動入賞に伴う可変表示開始時において前記保留記憶が存在しかつ計時手段が所定時間の経過を示している場合には可変表示時間として短時間のものを設定可能としたことを特徴とする遊技機。
【請求項８】
識別情報を可変表示する可変表示手段と、
始動入賞に起因して識別情報を可変表示し、所定条件を満たすと識別情報を確定表示するように前記可変表示手段を表示制御する表示制御手段と
を備え、先の始動入賞に起因した確定表示が導出される前に後の始動入賞があったときには可変表示が保留記憶され、先の始動入賞に起因した確定表示が導出された後に保留を解除して後の始動入賞に起因した可変表示及び確定表示を実行するようにした遊技機において、
識別情報の可変表示開始から確定表示までの可変表示時間として長短のある複数種類のものが設定されており、
可変表示手段による残り可変表示時間を示すべく可変表示時間を減算処理する計時手段を備え、その減算処理中に始動入賞があると、可変表示時間として短いものをその時の前記計時手段における残り可変表示時間に加算して当該加算結果を所定時間と比較し、加算結果が当該所定時間より長い場合には可変表示時間として短時間のものを設定可能としたことを特徴とする遊技機。
【請求項９】
前記表示制御手段に対して表示制御のための表示コマンドを出力する制御装置を備え、当該制御装置が前記計時手段を備えて前記始動入賞に基づく前記可変表示開始から確定表示までの時間を決定又は設定するものであり、前記表示コマンドは識別情報の可変表示開始から確定表示までの時間情報を含むものであることを特徴とする請求項１乃至請求項８のいずれかに記載の遊技機。
【請求項１０】
前記計時手段は、１のタイマによって構成されていることを特徴とする請求項１乃至請求項９のいずれかに記載の遊技機。